(57)【要約】【課題】各種通知を受け取る際、周囲への配慮を行う機能の充実化を図ること。【解決手段】１つの態様において、携帯電子機器は、第１ディスプレイと、第２ディスプレイと、コントローラとを備える。第２ディスプレイは、第１ディスプレイに重畳され、入射される光を透過させる透過状態と入射される光を反射する反射状態とを切り換え可能である。コントローラは、ユーザに対する通知を行う場合に少なくとも音を出力しない通知方法の設定がなされていることを条件に、第２ディスプレイを用いて通知に係る表示を実行する。【選択図】図３
2018170552.tif 000002
【特許請求の範囲】
【請求項１】
第１ディスプレイと、
前記第１ディスプレイに重畳され、入射される光を透過させる透過状態と入射される光を反射する反射状態とを切り換え可能な第２ディスプレイと、
ユーザに対する通知を行う場合に少なくとも音を出力しない通知方法の設定がなされていることを条件に、前記第２ディスプレイを用いて前記通知に係る表示を実行するコントローラと
を備える携帯電子機器。
【請求項２】
前記コントローラは、前記通知方法が設定されている場合、前記通知に係る表示を行う際、前記第１ディスプレイを用いない請求項１に記載の携帯電子機器。
【請求項３】
前記コントローラは、
前記通知方法の設定が解除された場合、前記第１ディスプレイを用いて前記通知に係る表示を実行する請求項１に記載の携帯電子機器。
【請求項４】
第１ディスプレイと、
前記第１ディスプレイに重畳され、入射される光を透過させる透過状態と入射される光を反射する反射状態とを切り換え可能な第２ディスプレイと
を備える携帯電子機器に実行させる制御方法であって、
ユーザに対する通知を行う場合に少なくとも音を出力しない通知方法の設定がなされていることを条件に、前記第２ディスプレイを用いて前記通知に係る表示を実行するステップを含む制御方法。
【請求項５】
第１ディスプレイと、
前記第１ディスプレイに重畳され、入射される光を透過させる透過状態と入射される光を反射する反射状態とを切り換え可能な第２ディスプレイと
を備える携帯電子機器に
ユーザに対する通知を行う場合に少なくとも音を出力しない通知方法の設定がなされていることを条件に、前記第２ディスプレイを用いて前記通知に係る表示を実行するステップを実行させる制御プログラム。
【発明の詳細な説明】
【技術分野】
【０００１】
本出願は、携帯電子機器、制御方法及び制御プログラムに関する。
【背景技術】
【０００２】
従来、携帯電話およびスマートフォンなどに搭載される液晶ディスプレイは、バックライトなどの光源を使用することにより視認可能な画像の表示を実現する（例えば、特許文献１等参照）。また、携帯電話およびスマートフォンなどは、着信、メール受信などの各種通知を受け取る際、周囲に対する配慮を行う、いわゆるマナーモードの設定が可能である。
【先行技術文献】
【特許文献】
【０００３】
【特許文献１】国際公開第２０１４／１７５４５５号
【発明の概要】
【発明が解決しようとする課題】
【０００４】
上記携帯電話及びスマートフォンにおいて、各種通知を受け取る際、周囲に対して手厚い配慮が行われるような機能の充実化が望まれる。
【課題を解決するための手段】
【０００５】
１つの態様に係る携帯電子機器は、第１ディスプレイと、第１ディスプレイに重畳され、入射される光を透過させる透過状態と入射される光を反射する反射状態とを切り換え可能な第２ディスプレイと、ユーザに対する通知を行う場合に少なくとも音を出力しない通知方法の設定がなされていることを条件に、前記第２ディスプレイを用いて前記通知に係る表示を実行するコントローラとを備える。
【０００６】
１つの態様に係る制御方法は、第１ディスプレイと、第１ディスプレイに重畳され、入射される光を透過させる透過状態と入射される光を反射する反射状態とを切り換え可能な第２ディスプレイとを備える携帯電子機器に実行させる制御方法である。当該制御方法は、ユーザに対する通知を行う場合に少なくとも音を出力しない通知方法の設定がなされていることを条件に、前記第２ディスプレイを用いて前記通知に係る表示を実行するステップを含む。
【０００７】
１つの態様に係る制御プログラムは、第１ディスプレイと、第１ディスプレイに重畳され、入射される光を透過させる透過状態と入射される光を反射する反射状態とを切り換え可能な第２ディスプレイとを備える携帯電子機器に、ユーザに対する通知を行う場合に少なくとも音を出力しない通知方法の設定がなされていることを条件に、前記第２ディスプレイを用いて前記通知に係る表示を実行するステップを実行させる。
【図面の簡単な説明】
【０００８】
【図１】図１は、実施形態に係るスマートフォンの正面図である。
【図２】図２は、実施形態に係るスマートフォンが有する第１ディスプレイと第２ディスプレイとの位置関係を示す斜視図である。
【図３】図３は、実施形態に係るスマートフォンの機能構成の一例を示すブロック図である。
【図４】図４は、実施形態に係る第２ディスプレイの表示原理の一例を示す模式図である。
【図５】図５は、実施形態に係る表示態様の一例を示す図である。
【図６】図６は、実施形態に係るスマートフォンの処理の概要を示す図である。
【図７】図７は、実施形態に係るスマートフォンにより実行される処理の一例を示すフローチャートである。
【図８】図８は、他の実施形態に係るスマートフォンにより実行される処理の一例を示すフローチャートである。
【発明を実施するための形態】
【０００９】
本出願に係る複数の実施形態を、図面を参照しつつ詳細に説明する。以下では、本出願に係る携帯電子機器の一例として、スマートフォンを取り上げて説明する。以下の説明において、同様の構成要素について同一の符号を付すことがある。さらに、重複する説明は省略することがある。
【００１０】
図１及び図２を参照しながら、実施形態に係るスマートフォン１の外観構成の一例について説明する。図１は、実施形態に係るスマートフォンの正面図である。図２は、実施形態に係るスマートフォンが有する第１ディスプレイと第２ディスプレイとの位置関係を示す斜視図である。
【００１１】
図１に示すように、スマートフォン１は、ハウジング２０を有する。ハウジング２０は、フロントフェイス２１を有する。フロントフェイス２１は、スマートフォン１の正面（表示面）である。スマートフォン１は、フロントフェイス２１に、第１ディスプレイ２Ａと、第２ディスプレイ２Ｂと、タッチスクリーン２Ｃと、照度センサ４と、近接センサ５と、カメラ１２とを有する。
【００１２】
第１ディスプレイ２Ａは、フロントフェイス２１の周縁に沿った略長方形状を有する。第１ディスプレイ２Ａは、フロントフェイス２１において、ハウジング２０のフロントパネル２２に囲まれている。第１ディスプレイ２Ａは略長方形状を有するが、正方形又は円形等のどのような形状もとりうる。図１に示す例において、タッチスクリーン２Ｃは、第１ディスプレイ２Ａと重なって位置してよい。タッチスクリーン２Ｃは、例えば、第１ディスプレイ２Ａと並んで位置してもよいし、離れて位置してもよい。図１に示す例において、タッチスクリーン２Ｃは、第１ディスプレイ２Ａの長辺（座標軸のＹ軸方向）に沿うとともに、第１ディスプレイ２Ａの短辺（座標軸のＸ軸方向）に沿ってよい。タッチスクリーン２Ｃと第１ディスプレイ２Ａとが重なって位置する場合、例えば、第１ディスプレイ２Ａの１ないし複数の辺は、タッチスクリーン２Ｃのいずれの辺とも沿っていなくてもよい。
【００１３】
第２ディスプレイ２Ｂは、第１ディスプレイ２Ａと同様に、フロントフェイス２１の周縁に沿った略長方形状を有する。図２に示すように、第２ディスプレイ２Ｂは、第１ディスプレイ２Ａの表示面側（Ｚ軸方向）から、第１ディスプレイ２Ａ及びフロントパネル２２の表面全体を覆うように重なって位置する。第２ディスプレイ２Ｂは、第１ディスプレイ２Ａが有する表示面よりも大きな表示面を有する。フロントフェイス２１は、例えば、強化ガラス２５によって覆われる。フロントフェイス２１は、Ｚ軸のプラス方向に向かって、第１ディスプレイ２Ａ、フロントパネル２２、第２ディスプレイ２Ｂ、強化ガラス２５の順に積層されて構成される。第１ディスプレイ２Ａ、第２ディスプレイ２Ｂ、及び強化ガラス２５は、例えば、光硬化型樹脂、接着剤等によって貼り合わせることにより、積層されてよい。
【００１４】
図３を参照しつつ、複数の実施形態の一例に係るスマートフォン１の機能構成の一例を説明する。図３は、実施形態に係るスマートフォンの機能構成の一例を示すブロック図である。
【００１５】
図３に示すように、スマートフォン１は、第１ディスプレイ２Ａと、第２ディスプレイ２Ｂと、タッチスクリーン２Ｃと、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、モーションセンサ１５とを含む。以下の説明において、スマートフォン１を「自機」と表記する場合がある。
【００１６】
第１ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。第１ディスプレイ２Ａは、文字、画像、記号、及び図形等のオブジェクトを画面内に表示する。第１ディスプレイ２Ａが表示するオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。第１ディスプレイ２Ａは、バックライトを有する従来型の液晶ディスプレイである場合について説明する。
【００１７】
第２ディスプレイ２Ｂは、高分子により構成されるネットワーク構造体、いわゆるポリマーネットワークを液晶層に形成したポリマーネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）等を利用した表示デバイスを含む。以下の実施形態では、第２ディスプレイ２Ｂは、ポリマーネットワーク型液晶ディスプレイである場合について説明する。
【００１８】
第２ディスプレイ２Ｂは、電圧を印加して液晶分子の配列方向を変化させることにより、入射される光を透過させる透過状態と、入射される光を反射する反射状態とを切り換えることができる。第２ディスプレイ２Ｂは、透過状態と反射状態とを適宜切り換えることにより、所定の画像表示を実行できる。第２ディスプレイ２Ｂは、バックライトのような光源を利用せず、周囲の光を反射させる構成を有するので、周囲の光量に応じた明るさの画像表示を実現できる。
【００１９】
図４及び図５を用いて、実施形態に係る第２ディスプレイの表示原理、及び実施形態に係る表示態様を説明する。図４は、実施形態に係る第２ディスプレイの表示原理の一例を示す模式図である。図５は、実施形態に係る表示態様の一例を示す図である。図４に示す例では、第２ディスプレイ２Ｂの結晶構造体を主に図示し、その他の基板、回路、及び配線等の図示を省略している。
【００２０】
図４に示すように、第２ディスプレイ２Ｂは、ガラスまたは透明フィルム（例えば有機素材からなる）の基板３１と液晶層３２とを有する。液晶層３２は、液晶分子３３とポリマーネットワーク３４とを有する。
【００２１】
透過状態Ｍ１は、電圧の印加により、液晶層３２内の液晶分子３３が電界方向Ｅに配列された状態である。透過状態Ｍ１である場合、外部から入射される光は、液晶層３２で反射及び散乱されることなく、液晶層３２を通り抜ける。透過状態Ｍ１である場合、第２ディスプレイ２Ｂは透明な状態を呈する。図５に示すように、第２ディスプレイ２Ｂの表示領域全体が透過状態Ｍ１である場合、ユーザは、第２ディスプレイ２Ｂの背後にある第１ディスプレイ２Ａ、第１ディスプレイ２Ａに表示されるホーム画面４０、照度センサ４と、カメラ１２、及びフロントパネル２２等を、透明な状態となっている第２ディスプレイ２Ｂの表示領域全体を通して見ることができる。第２ディスプレイ２Ｂの表示領域の一部が透過状態Ｍ１である場合、ユーザは、第２ディスプレイ２Ｂの背後にある第１ディスプレイ２Ａ及びフロントパネル２２等の一部を、透明な状態となっている第２ディスプレイ２Ｂの表示領域の一部を通して見ることができる。
【００２２】
反射状態Ｍ２は、電圧が印加されない場合、液晶層３２内部に張り巡らされた３次元網目状のポリマーネットワーク３４の作用によって、液晶分子３３が不規則に配列される状態である。反射状態Ｍ２である場合、外部から入射される光は、液晶層３２で反射及び散乱される。反射状態Ｍ２である場合、第２ディスプレイ２Ｂは白濁状態（不透明な状態）を呈する。図５に示すように、第２ディスプレイ２Ｂの表示領域全体が反射状態Ｍ２である場合、ユーザは、第２ディスプレイ２Ｂの表示領域全体が白濁している状態を視認できる。第２ディスプレイ２Ｂの表示領域の一部が反射状態Ｍ２である場合、ユーザは、第２ディスプレイ２Ｂの表示領域内の一部が白濁している状態を視認できる。なお、上記では電圧の印加によって第２ディスプレイ２Ｂが透明な状態になる場合を例示したが、第２ディスプレイ２Ｂは、電圧が印加されていない状態で透明状態Ｍ１となり、電圧が印加されている状態で反射状態Ｍ２となる、逆の構成であってもよい。なお以下では、基板３１に電圧が印加された状態において第２ディスプレイ２Ｂが透過状態Ｍ１となり、基板３１に電圧が印加されていない状態において第２ディスプレイ２Ｂが反射状態Ｍ２となるものとして、説明する。
【００２３】
スマートフォン１は、第２ディスプレイ２Ｂの表示領域について、透過状態Ｍ１及び反射状態Ｍ２の切換を実行することにより、第２ディスプレイ２Ｂを用いた画像表示を実現する。スマートフォン１は、第２ディスプレイ２Ｂを用いた画像表示を実行する際、表示領域内で透過状態Ｍ１にある箇所と、表示領域内で反射状態Ｍ２にある箇所との間に、ユーザにとって視認容易な階調差が生まれるよう第２ディスプレイ２Ｂの透明度を調整できる。スマートフォン１は、ポリマーネットワーク型液晶を用いて第２ディスプレイ２Ｂを構成することにより、金属メッキ等を利用した電子ペーパを用いて第２ディスプレイ２Ｂを構成するよりもコストが低減できる。また、光の振動方向を調整する偏光板、及び液晶分子３３の配向方向を制御する配向膜が不要であるので、従来の液晶ディスプレイよりも厚みを薄くすることができ、コストも低減することができる。
【００２４】
タッチスクリーン２Ｃは、第１ディスプレイ２Ａと重なって位置してもよい。タッチスクリーン２Ｃは、タッチスクリーン２Ｃに対する１もしくは複数の指、１もしくは複数のペン、又は１もしくは複数のスタイラスペン等（以下、「指」と表記する場合がある）の接触又は近接を検出できる。タッチスクリーン２Ｃは、１もしくは複数の指、１もしくは複数のペン、又は１もしくは複数のスタイラスペン等がタッチスクリーン２Ｃに接触又は近接したときのタッチスクリーン２Ｃ上の位置（以下、「接触位置」と表記する場合がある）を検出できる。タッチスクリーン２Ｃは、タッチスクリーン２Ｃに対する指の接触を、検出位置とともにコントローラ１０に通知できる。タッチスクリーン２Ｃに対する操作は、タッチスクリーン２Ｃを有するスマートフォン１に対する操作と言い換えることができる。ある実施形態において、タッチスクリーン２Ｃは、検出方式として静電容量方式、抵抗膜方式又は荷重検出方式を適宜採用できる。
【００２５】
コントローラ１０は、タッチスクリーン２Ｃにより検出された接触の数、接触が検出された位置、接触が検出された位置の変化、接触が検出された時間的長さ、接触が検出された時間的間隔、及び接触が検出された回数の少なくとも１つに基づいて、ジェスチャの種別を判別できる。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｃに対して行われる操作である。タッチスクリーン２Ｃに対して行われる操作は、タッチスクリーン２Ｃと重畳された第１ディスプレイ２Ａに重なって位置する第２ディスプレイ２Ｂに行われてもよい。コントローラ１０が、タッチスクリーン２Ｃを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００２６】
ボタン３は、ユーザからの操作入力を受け付ける。ボタン３は、ユーザからの操作入力を受け付けると、コントローラ１０に操作入力を受け付けた旨を通知する。ボタン３の数は、単数であっても、複数であってもよい。ボタン３は、テンキー、ＱＷＥＲＴＹキーを含んでよい。
【００２７】
照度センサ４は、照度を検出できる。照度は、照度センサ４の測定面の単位面積に入射する光束の値である。照度センサ４は、例えば、第１ディスプレイ２Ａの輝度の調整に用いてもよい。
【００２８】
近接センサ５は、近隣の物体の存在を非接触で検出できる。近接センサ５は、磁界の変化又は超音波の反射波の帰還時間の変化等に基づいて物体の存在を検出する。近接センサ５は、例えば、第１ディスプレイ２Ａにユーザの顔が接近したことを検出するのに用いてもよい。照度センサ４及び近接センサ５は、１つのセンサとして構成されていてもよい。照度センサ４は、近接センサとして用いられてもよい。
【００２９】
通信ユニット６は、無線により通信できる。通信ユニット６は、無線通信規格をサポートする。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）が含まれる。通信ユニット６は、上述した通信規格の１つ又は複数をサポートしていてもよい。
【００３０】
レシーバ７は、コントローラ１０から送信される音信号を音として出力できる。レシーバ７は、例えば、スマートフォン１にて再生される動画の音、音楽の音、及び通話時の相手の声を出力できる。マイク８は、ユーザの声等を音信号へ変換してコントローラ１０へ送信する。実施形態において、マイク８は第２入力部の一例である。
【００３１】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３２】
ストレージ９に記憶されるプログラムには、フォアグランド又はバックグランドで実行されるアプリケーションと、アプリケーションの動作を支援する基本プログラムとが含まれる。アプリケーションの画面は、例えば、フォアグランドで実行される場合に、ディスプレイ２Ａに表示される。基本プログラムには、例えば、ＯＳ（Ｏｐｅｒａｔｉｎｇ  ｓｙｓｔｅｍ）が含まれる。アプリケーション及び基本プログラムは、通信ユニット６による無線通信又は非一過的な記憶媒体を介してストレージ９にインストールされてもよい。
【００３３】
ストレージ９は、制御プログラム９Ａ及び設定データ９Ｚなどを記憶できる。
【００３４】
制御プログラム９Ａは、スマートフォン１の各種動作に関する処理を実現するための機能をそれぞれ提供できる。制御プログラム９Ａが提供する機能は、照度センサ４の検出結果に基づいて、第１ディスプレイ２Ａの輝度を調整する機能を含む。制御プログラム９Ａが提供する機能は、近接センサ５の検出結果に基づいて、タッチスクリーン２Ｃに対する操作を無効とする機能を含む。制御プログラム９Ａが提供する機能は、通信ユニット６、レシーバ７、及びマイク８等を制御することによって、通話を実現させる機能を含む。制御プログラム９Ａが提供する機能は、カメラ１２、及びカメラ１３の撮影処理を制御する機能を含む。制御プログラム９Ａが提供する機能は、コネクタ１４を介して接続される外部機器との間の通信を制御する機能を含む。制御プログラム９Ａが提供する機能は、タッチスクリーン２Ｃの検出結果に基づいて判別したジェスチャに応じて、第１ディスプレイ２Ａに表示されている情報を変更する等の各種制御を行う機能を含む。制御プログラム９Ａが提供する機能は、モーションセンサ１５の検出結果に基づいて、スマートフォン１を携帯するユーザの移動、停止等を検出する機能を含む。
【００３５】
制御プログラム９Ａが提供する機能は、スマートフォン１が、ユーザに対する通知を行う場合に少なくとも音を出力しない通知方法の設定がなされていることを条件に、第２ディスプレイ２Ｂを用いて、該通知に係る表示を実行する処理を実現するための機能（以下、「表示制御機能」と適宜表記する）も含む。ユーザに対する通知を行う場合は、着信、メール受信、アラーム、スケジュールのリマインダー通知など、音出力及び画像表示などを伴う各種イベントの発生を含む。
【００３６】
設定データ９Ｚは、スマートフォン１における処理に用いられる各種データを含んで構成される。設定データ９Ｚは、ユーザに対する通知に関する通知設定の情報を含む。通知設定の情報は、ユーザに対する通知を行う場合に少なくとも音を出力しない通知方法、いわゆるマナーモード及びサイレントモードの設定が行われているか否かを示す情報を含む。
【００３７】
コントローラ１０は、スマートフォン１の動作を統括的に制御して各種の機能を実現できる。コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。ＳｏＣは、通信ユニット６等の他の構成要素が統合されていてもよい。コントローラ１０は、コントローラの一例である。
【００３８】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、第１ディスプレイ２Ａ、第２ディスプレイ２Ｂ、通信ユニット６、マイク８、及びスピーカ１１の少なくとも１つを含むが、これらに限定されない。コントローラ１０は、検出部の検出結果に応じて、制御を変更することがある。検出部は、例えば、タッチスクリーン２Ｃ、ボタン３、照度センサ４、近接センサ５、マイク８、カメラ１２、カメラ１３、モーションセンサ１５を含むが、これらに限定されない。
【００３９】
コントローラ１０は、制御プログラム９Ａを実行することにより、ユーザに対する通知を行う場合に少なくとも音を出力しない通知方法の設定を受け付けると、該通知を行う通知画面を第２ディスプレイに表示させる処理を実現する。
【００４０】
スピーカ１１は、コントローラ１０から送信される音信号を音として出力できる。スピーカ１１は、例えば、着信音及び音楽を出力してもよい。レシーバ７及びスピーカ１１の一方が、他方の機能を兼ねてもよい。
【００４１】
カメラ１２及びカメラ１３は、撮影した画像を電気信号へ変換できる。カメラ１２は、第１ディスプレイ２Ａに面している物体を撮影するインカメラでもよい。カメラ１３は、第１ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態でスマートフォン１に実装されてもよい。
【００４２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４３】
モーションセンサ１５は、スマートフォン１を携帯するユーザの動作を判定するための各種情報を検出できる。モーションセンサ１５は、加速度センサ、方位センサ、ジャイロセンサ、磁気センサ及び気圧センサなどを備えるセンサユニットとして構成されてよい。
【００４４】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、スマートフォン１の現在位置の演算処理をサポートする。スマートフォン１は、ＧＰＳ衛星以外の測位用人工衛星の信号を受信可能な受信機を備え、現在位置の演算処理を実行してもよい。バイブレータは、スマートフォン１の一部又は全体を振動させる。バイブレータは、振動を発生させるために、例えば、圧電素子、又は偏心モータなどを有する。ＧＰＳ受信機、及びバイブレータの他、スマートフォン１は、バッテリなどのように、スマートフォン１の機能を維持するために当然に用いられる機能部、及びスマートフォン１の制御を実現するために当然に用いられる制御部を実装する。
【００４５】
スマートフォン１は、通信ユニット６を介してクラウド上の記憶サーバにアクセスし、各種プログラム及びデータを取得してもよい。
【００４６】
図６を用いて、スマートフォン１が実行する処理の概要を説明する。図６は、実施形態に係るスマートフォンの処理の概要を示す図である。
【００４７】
図６に示すように、スマートフォン１は、着信を検出したときに、例えば、マナーモードが設定されていない場合、ユーザに着信を知らせる通知画像Ｐ１を第１ディスプレイ２Ａに表示させる（ステップＳ１１、ステップＳ１２）。
【００４８】
一方、スマートフォン１は、着信を検出したときに、例えば、マナーモードが設定されている場合、ユーザに着信を知らせる通知画像Ｐ２を第２ディスプレイ２Ｂに表示させる（ステップＳ１１、ステップＳ１３）。
【００４９】
図６に示す例において、スマートフォン１は、着信検出時、マナーモードが設定されていない場合に、第２ディスプレイ２Ｂに表示させる通知画像Ｐ２を、第１ディスプレイ２Ａに表示させる通知画像Ｐ１と同一の画像であってもよいが、図６の例に限定されない。例えば、スマートフォン１は、第２ディスプレイ２Ｂに表示させる通知画像Ｐ２のサイズ、デザイン、色などの画像構成を、第１ディスプレイ２Ａに表示させる通知画像Ｐ１とは異なるようにしてもよい。
【００５０】
図７を用いて、スマートフォン１により実行される処理の流れの一例を説明する。図７は、実施形態に係るスマートフォンにより実行される処理の一例を示すフローチャートである。図７に示す処理は、コントローラ１０が制御プログラム９Ａを実行することにより実現される。図７に示す処理は、スマートフォン１が動作可能な状態であれば、給電を一部制御するモード、いわゆる省電力モードのときにも、繰り返し実行される。
【００５１】
図７に示すように、コントローラ１０は、ユーザへの通知を実行するかを判定する（ステップＳ１０１）。
【００５２】
コントローラ１０は、判定の結果、ユーザへの通知を実行する場合（ステップＳ１０１，Ｙｅｓ）、マナーモードを設定中であるかを判定する（ステップＳ１０２）。マナーモードは、ユーザに対する通知を行う場合に少なくとも音を出力しない通知方法であれば、サイレントモードのように、他のモードであってもよい。
【００５３】
コントローラ１０は、判定の結果、マナーモードを設定中である場合（ステップＳ１０２，Ｙｅｓ）、第２ディスプレイ２Ｂに通知画像を表示し（ステップＳ１０３）、上記ステップＳ１０１の判定に戻る。
【００５４】
一方、コントローラ１０は、判定の結果、マナーモードを設定中ではない場合（ステップＳ１０２，Ｎｏ）、第１ディスプレイ２Ａに通知画像を表示し（ステップＳ１０４）、上記ステップＳ１０１の判定に戻る。
【００５５】
上記ステップＳ１０１において、コントローラ１０は、判定の結果、ユーザへの通知を実行しない場合（ステップＳ１０１，Ｎｏ）、ステップＳ１０１の判定を繰り返し実行する。
【００５６】
上記の実施形態において、スマートフォン１は、マナーモード若しくはサイレントモードを設定中である場合、第２ディスプレイ２Ｂに通知画面を表示するように制御できる。第２ディスプレイ２Ｂは、バックライトのような光源を利用せず、周囲の光を反射させる構成を有するので、周囲の光量の応じた明るさの画像表示を実現できる。よって、マナーモード設定中のスマートフォン１のユーザが、例えば、映画館のように暗い室内に滞在している最中に着信があった場合、スマートフォン１が映画館の中の光量と調和した明るさで着信等を知らせる通知画面を第２ディスプレイ２Ｂに表示させることができる。このように、上記の実施形態によれば、各種通知を受け取る際、周囲に対して手厚い配慮を行うことができ、携帯電子機器を利用する際のマナーアップを図ることができる。
【００５７】
上記の実施形態において、スマートフォン１は、マナーモード若しくはサイレントモードを設定中である場合、ユーザに対する通知に係る表示を行う際、第１ディスプレイ２Ａを用いない場合を説明した。スマートフォン１が、例えば、着信検出時にマナーモードが設定されている場合、第１ディスプレイ２Ａを点灯させないように制御したり、第１ディスプレイ２Ａに着信を知らせる通知画像を出力しないように制御したりすることにより、ユーザに対する通知に係る表示を行う際に第１ディスプレイ２Ａを用いない処理を実現できる。
【００５８】
上記の実施形態において、スマートフォン１は、マナーモード若しくはサイレントモードを設定中である場合、第１ディスプレイ２Ａへの通知画面の表示について特に制限しなくてもよい。この場合であっても、第２ディスプレイ２Ｂは、第１ディスプレイ２Ａを覆い隠すように、第１ディスプレイ２Ａの表示面側に重畳して配置されるので、第１ディスプレイ２Ａからの光を少なからず遮ることができ、暗い場所での通知画面の表示の際などに周囲への配慮を行うことができる。
【００５９】
（他の実施形態）
上記表示制御機能は、スマートフォン１が、例えば、上記通知方法の設定が解除された場合、第１ディスプレイ２Ａを用いて、ユーザに対する通知に係る表示を実行する処理を実現するための機能も含む。上記通知方法の設定解除は、スマートフォン１が、タイミングを問わず、受け付けることができる。
【００６０】
コントローラ１０は、制御プログラム９Ａを実行することにより、上記通知方法の設定が解除された場合、第１ディスプレイ２Ａを用いて、通知に係る表示を実行する処理を実現する。
【００６１】
以下、図８を用いて、他の実施形態に係るスマートフォン１による処理の一例を説明する。図８は、他の実施形態に係るスマートフォンにより実行される処理の一例を示すフローチャートである。図８に示す処理は、コントローラ１０が制御プログラム９Ａを実行することにより実現される。図８に示す処理は、スマートフォン１が動作可能な状態であれば、給電を一部制御するモード、いわゆる省電力モードのときにも、繰り返し実行される。
【００６２】
図８に示すように、コントローラ１０は、ユーザへの通知を実行するかを判定する（ステップＳ２０１）。
【００６３】
コントローラ１０は、判定の結果、ユーザへの通知を実行する場合（ステップＳ２０１，Ｙｅｓ）、マナーモードを設定中であるかを判定する（ステップＳ２０２）。マナーモードは、ユーザに対する通知を行う場合に少なくとも音を出力しない通知方法であれば、サイレントモードのように、他のモードであってもよい。
【００６４】
コントローラ１０は、判定の結果、マナーモードを設定中である場合（ステップＳ２０２，Ｙｅｓ）、第２ディスプレイ２Ｂに通知画像を表示する（ステップＳ２０３）。
【００６５】
コントローラ１０は、マナーモードの設定を解除する解除操作が行われたかを判定する（ステップＳ２０４）。
【００６６】
コントローラ１０は、判定の結果、マナーモードの設定を解除する解除操作が行われた場合（ステップＳ２０４，Ｙｅｓ）、第２ディスプレイ２Ｂを透過状態にして、第１ディスプレイ２Ａに通知画像を表示し（ステップＳ２０５）、上記ステップＳ２０１の判定に戻る。
【００６７】
コントローラ１０は、判定の結果、マナーモードの設定を解除する解除操作が行われていない場合（ステップＳ２０４，Ｎｏ）、上記ステップＳ２０１の判定に戻る。
【００６８】
上記ステップＳ２０２において、コントローラ１０は、判定の結果、マナーモードを設定中ではない場合（ステップＳ２０２，Ｎｏ）、第１ディスプレイ２Ａに通知画像を表示し（ステップＳ２０５）、上記ステップＳ２０１の判定に戻る。
【００６９】
上記ステップＳ２０１において、コントローラ１０は、判定の結果、ユーザへの通知を実行しない場合（ステップＳ２０１，Ｎｏ）、ステップＳ２０１の判定を繰り返し実行する。
【００７０】
上記図８に示す処理によれば、スマートフォン１は、第２ディスプレイ２Ｂを用いて、ユーザに対する通知に係る表示を実行した後、マナーモードの設定が解除されれば、第１ディスプレイ２Ａを用いて、ユーザに対する通知に係る表示を実行する。よって、周囲の環境に配慮しつつ、通知に応じたユーザの操作に配慮することができる。
【００７１】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【００７２】
上記の実施形態では、第２ディスプレイ２Ｂがポリマーネットワーク型液晶ディスプレイである場合について説明してきたがこれに限定されず、第２ディスプレイ２Ｂが電子ペーパであってもよい。
【符号の説明】
【００７３】
１  スマートフォン
２Ａ  第１ディスプレイ
２Ｂ  第２ディスプレイ
２Ｃ  タッチスクリーン
３  ボタン
４  照度センサ
５  近接センサ
６  通信ユニット
７  レシーバ
８  マイク
９  ストレージ
９Ａ  制御プログラム
９Ｚ  設定データ
１０  コントローラ
１１  スピーカ
１２  カメラ
１３  カメラ
１４  コネクタ
１５  モーションセンサ
【図１】
2018170552.tif 000003
【図２】
2018170552.tif 000004
【図３】
2018170552.tif 000005
【図４】
2018170552.tif 000006
【図５】
2018170552.tif 000007
【図６】
2018170552.tif 000008
【図７】
2018170552.tif 000009
【図８】
2018170552.tif 000010